(57)【特許請求の範囲】
【請求項１】
交流電源をオンオフする外部スイッチの操作によって第１光源および第２光源の点灯および消灯を切り換え可能な点灯装置であって、
前記交流電源から供給された交流電圧を直流電圧へと変換する整流平滑回路と、
前記整流平滑回路に接続されるとともに、前記第１光源および前記第２光源と並列関係に接続される１つの定電流回路と、
を備え、
前記外部スイッチに対する操作に基づいて
前記第１光源および前記第２光源の両方を点灯し、前記第１光源を前記第２光源よりも高い輝度で点灯する第１点灯モードと、
前記第１光源および前記第２光源の両方を点灯し、前記第２光源を前記第１光源よりも高い輝度で点灯する第２点灯モードと、
前記第１光源および前記第２光源の輝度を交互に切り換える第３点灯モードと
のいずれかに切り換え、
前記第３点灯モードにおいて、前記第１光源および前記第２光源のうちの一方の光源の輝度を低下させ、前記第１光源および前記第２光源のうちの他方の光源の輝度を上昇させる場合、前記第１光源および前記第２光源の両方を点灯させたまま前記他方の光源の輝度を上昇させ、前記一方の光源の輝度を低下させる、点灯装置。
【請求項２】
第１光源と、
第２光源と、
点灯状態切換回路と、
を備える照明装置であって、
前記点灯状態切換回路は、
前記第１光源に直列接続され、前記第１光源の点灯状態を切り換える第１スイッチと、
前記第２光源に直列接続され、前記第２光源の点灯状態を切り換える第２スイッチと、
前記第１スイッチおよび前記第２スイッチの切り換えを制御するスイッチ切換部と
を有し、
外部スイッチに対する操作に基づいて
前記第１光源および前記第２光源の両方を点灯し、前記第１光源を前記第２光源よりも高い輝度で点灯する第１点灯モードと、
前記第１光源および前記第２光源の両方を点灯し、前記第２光源を前記第１光源よりも高い輝度で点灯する第２点灯モードと、
前記第１光源および前記第２光源の輝度を交互に切り換える第３点灯モードと
のいずれかに切り換え、
前記第３点灯モードにおいて、前記第１光源および前記第２光源のうちの一方の光源の輝度を低下させ、前記第１光源および前記第２光源のうちの他方の光源の輝度を上昇させる場合、前記第１光源および前記第２光源の両方を点灯させたまま前記他方の光源の輝度を上昇させ、前記一方の光源の輝度を低下させる、照明装置。
【請求項３】
前記点灯状態切換回路は、
前記外部スイッチに対して点灯モードを切り換えるための操作が行われたか否かを検出する操作検出部と、
前記操作検出部の検出結果に基づいて前記第１スイッチおよび前記第２スイッチの切り換えを制御するためのゲート信号を生成するゲート信号生成部と
を有する、請求項２に記載の照明装置。
【請求項４】
前記第１光源は、第１光色を有し、
前記第２光源は、前記第１光色とは異なる第２光色を有する、
請求項２または３に記載の照明装置。
【発明の詳細な説明】
【技術分野】
【０００１】
本発明は、点灯装置および照明装置に関する。
【背景技術】
【０００２】
点灯および消灯を切り換えるためのスイッチを短時間で断続操作することにより、照度および／色温度を変化させる機能を備えた照明装置が知られている（例えば、特許文献１参照）。このような断続操作はプルレス操作とも呼ばれる。
【０００３】
特許文献１に記載の照明装置では、電源端に連結された切換スイッチをオンからオフに切り換えた後、短時間で再びオンに切り換えることによって、点灯する光源を切り換えて照明の照度および／または色温度を変更している。また、特許文献１の照明装置は、２つの光源を備えており、（１）一方の光源を点灯させること、（２）他方の光源を点灯させること、（３）両方の光源を所定のパルス幅で交互に点灯させることを適宜切り換えて、ユーザーの要望に適した点灯を実現している。
【先行技術文献】
【特許文献】
【０００４】
【特許文献１】実用新案登録第３１６９６７９号公報
【発明の概要】
【発明が解決しようとする課題】
【０００５】
しかしながら、特許文献１に記載の照明装置では、２つの光源を交互に点灯させる場合、人間には光源が連続的に点灯しているようにみえる場合でも、瞬間的に消灯するフリッカーが生じることがある。例えば、特許文献１の照明装置の下で撮像装置で撮像する場合、照明装置が瞬間的に消灯したタイミングで撮像を行うと、消灯状況下において撮像が行われてしまい、適切に撮像できないことがある。
【０００６】
本発明は上記課題に鑑みてなされたものであり、その目的は、照明光の点灯を変化させるとともにフリッカーを抑制可能な点灯装置および照明装置を提供することにある。
【課題を解決するための手段】
【０００７】
本願に開示する点灯装置は、交流電源をオンオフする外部スイッチの操作によって第１光源および第２光源の点灯および消灯を切り換え可能な点灯装置である。本願に開示する点灯装置は、前記交流電源から供給された交流電圧を直流電圧へと変換する整流平滑回路と、前記整流平滑回路に接続されるとともに、前記第１光源および前記第２光源と並列関係に接続される１つの定電流回路とを備える。本願に開示する点灯装置は、前記外部スイッチに対する操作に基づいて、前記第１光源および前記第２光源の両方を点灯し、前記第１光源を前記第２光源よりも高い輝度で点灯する第１点灯モードと、前記第１光源および前記第２光源の両方を点灯し、前記第２光源を前記第１光源よりも高い輝度で点灯する第２点灯モードと、前記第１光源および前記第２光源の輝度を交互に切り換える第３点灯モードとのいずれかに切り換える。本願に開示する点灯装置は、前記第３点灯モードにおいて、前記第１光源および前記第２光源のうちの一方の光源の輝度を低下させ、前記第１光源および前記第２光源のうちの他方の光源の輝度を上昇させる場合、前記第１光源および前記第２光源の両方を点灯させたまま前記他方の光源の輝度を上昇させ、前記一方の光源の輝度を低下させる。
【００１０】
本願に開示する照明装置は、第１光源と、第２光源と、点灯状態切換回路とを備える照明装置である。前記点灯状態切換回路は、前記第１光源に直列接続され、前記第１光源の点灯状態を切り換える第１スイッチと、前記第２光源に直列接続され、前記第２光源の点灯状態を切り換える第２スイッチと、前記第１スイッチおよび前記第２スイッチの切り換えを制御するスイッチ切換部とを有する。本願に開示する照明装置は、外部スイッチに対する操作に基づいて、前記第１光源および前記第２光源の両方を点灯し、前記第１光源を前記第２光源よりも高い輝度で点灯する第１点灯モードと、前記第１光源および前記第２光源の両方を点灯し、前記第２光源を前記第１光源よりも高い輝度で点灯する第２点灯モードと、前記第１光源および前記第２光源の輝度を交互に切り換える第３点灯モードとのいずれかに切り換える。本願に開示する点灯装置は、前記第３点灯モードにおいて、前記第１光源および前記第２光源のうちの一方の光源の輝度を低下させ、前記第１光源および前記第２光源のうちの他方の光源の輝度を上昇させる場合、前記第１光源および前記第２光源の両方を点灯させたまま前記他方の光源の輝度を上昇させ、前記一方の光源の輝度を低下させる。
【００１１】
本願に開示する照明装置において、前記点灯状態切換回路は、前記外部スイッチに対して点灯モードを切り換えるための操作が行われたか否かを検出する操作検出部と、前記操作検出部の検出結果に基づいて前記第１スイッチおよび前記第２スイッチの切り換えを制御するためのゲート信号を生成するゲート信号生成部とを有することが好ましい。
【００１２】
本願に開示する照明装置において、前記第１光源は、第１光色を有し、前記第２光源は、前記第１光色とは異なる第２光色を有することが好ましい。
【発明の効果】
【００１３】
本発明によれば、照明光の点灯を変化させるとともにフリッカーを抑制することができる。
【図面の簡単な説明】
【００１４】
【図１】本実施形態の点灯装置および照明装置のブロック図である。
【図２】（ａ）〜（ｄ）は、本実施形態の照明装置における光源の点灯を示すタイムチャートである。
【図３】本実施形態の点灯装置および照明装置の模式的な回路図である。
【図４】（ａ）は実施形態の照明装置においてスイッチのゲートに印加される電圧を示すタイムチャートであり、（ｂ）〜（ｃ）は、本実施形態の照明装置において光源を流れる電流を示すタイムチャートである。
【図５】本実施形態の点灯装置および照明装置の模式的な回路図である。
【発明を実施するための形態】
【００１５】
以下、図面を参照しながら本発明による点灯装置および照明装置の実施形態を説明する。なお、図中、同一または相当部分については同一の参照符号を付して説明を繰り返さない。
【００１６】
図１を参照して、本実施形態の点灯装置１００および照明装置２００を説明する。図１は、点灯装置１００および照明装置２００の模式的なブロック図である。
【００１７】
照明装置２００は外部スイッチＳを介して外部の交流電源Ａに接続している。照明装置２００は交流電源Ａに基づいて点灯する。照明装置２００は、一例として、吊下げ灯（例えば、ペンダントライト）、天井直付け灯（例えば、シーリングライト）、埋め込み灯（例えば、ダウンライト）、または、壁直付け灯（例えば、ブラケットライト）のいずれであってもよい。
【００１８】
外部スイッチＳは、例えば壁スイッチである。外部スイッチＳを切り換えることによって照明装置２００の点灯および消灯を切り換えることができる。具体的には、外部スイッチＳがオンになると、交流電源Ａからの電力が照明装置２００に供給され、照明装置２００は点灯する。また、外部スイッチＳがオフになると、交流電源Ａから照明装置２００に供給される電力が遮断され、照明装置２００は消灯する。
【００１９】
照明装置２００は、点灯装置１００と、第１光源２１０と、第２光源２２０とを備える。第１光源２１０は第１光色の光を発する。第１光色は、例えば、相関色温度２７００ケルビン（暖色）である。第１光源２１０は１つまたは複数の発光素子を含む。第２光源２２０は第１光色とは異なる第２光色の光を発する。第２光色は、例えば、相関色温度５０００ケルビン（寒色）である。第２光源２２０は１つまたは複数の発光素子を含む。例えば、光源２１０、２２０は発光素子として白色ＬＥＤを有している。光源２１０、２２０は、ＳＭＤ（ｓｕｒｆａｃｅ  ｍｏｕｎｔ  ｄｅｖｉｃｅ）素子、ＣＯＢ（ｃｈｉｐ  ｏｎ  ｂｏａｒｄ）素子のいずれであってもよい。
【００２０】
点灯装置１００は、交流電源Ａに基づいて光源２１０、２２０に電力を供給し、光源２１０、２２０を点灯する。例えば、点灯装置１００は、光源２２０を消灯させたまま光源２１０を点灯する。また、点灯装置１００は、光源２１０を消灯させたまま光源２２０を点灯する。あるいは、点灯装置１００は、光源２１０および光源２２０を交互に点灯する。
【００２１】
また、点灯装置１００は、光源２１０および光源２２０の両方を点灯させたまま、光源２１０、光源２２０の輝度の大小関係を切り換え可能であってもよい。例えば、点灯装置１００は、光源２１０、２２０を点灯し、光源２１０の輝度を光源２２０よりも高くする。また、点灯装置１００は、光源２１０、２２０を点灯し、光源２１０の輝度を光源２２０よりも低くする。あるいは、点灯装置１００は、光源２１０、２２０を点灯し、光源２１０、２２０の輝度の大小関係を交互に変化する。
【００２２】
点灯装置１００は、整流平滑回路１１０と、定電流回路１２０と、点灯状態切換回路１３０とを備える。整流平滑回路１１０は、交流電源Ａから供給された交流電圧を直流電圧へと変換する。定電流回路１２０は、並列接続された第１光源２１０および第２光源２２０に接続されている。定電流回路１２０は、第１光源２１０および第２光源２２０に一定の電流を供給する。点灯状態切換回路１３０は、外部スイッチＳの操作を検出し、第１光源２１０および第２光源２２０の点灯状態を切り換える。点灯状態切換回路１３０は、光源２１０、２２０の点灯および消灯を切り換える光色切換回路として機能する。あるいは、点灯状態切換回路１３０は、光源２１０、２２０の輝度の大小関係を切り換える輝度切換回路として機能する。
【００２３】
本実施形態の照明装置２００は、外部スイッチＳの切り換えに基づいて点灯モードを切り換えて点灯する。ここでは、照明装置２００は、３つの点灯モードで切り換えられた光で点灯する。この場合、点灯装置１００は、外部スイッチＳの切り換えに基づいて光源２１０、２２０を点灯する点灯モードを切り換える。ここでは、点灯装置１００は、３つの点灯モードを切り換えて光源２１０、２２０を点灯する。
【００２４】
本実施形態の点灯装置１００は、第１点灯モードにおいて、光源２１０、２２０のうちの少なくとも一方を点灯する。点灯装置１００は、第２点灯モードにおいて、第１点灯モードとは異なる態様で光源２１０、２２０のうちの少なくとも一方を点灯する。点灯装置１００は、第３点灯モードにおいて、ある切換期間にわたって、光源２１０、２２０のうちの一方の光源の輝度をより低くするように切り換え、他方の光源の輝度をより高くするように切り換える。
【００２５】
例えば、点灯装置１００は、第１点灯モードにおいて、光源２１０を点灯する一方、光源２２０を消灯する。点灯装置１００は、第２点灯モードにおいて、光源２１０を消灯する一方、光源２２０を点灯する。点灯装置１００は、第３点灯モードにおいて、光源２１０および光源２２０を交互に点灯する。
【００２６】
あるいは、点灯装置１００は、第１点灯モードにおいて、光源２１０、２２０を点灯するとともに、光源２１０の輝度を光源２２０の輝度よりも高くする。点灯装置１００は、第２点灯モードにおいて、光源２１０、２２０を点灯するとともに、光源２１０の輝度を光源２２０の輝度よりも低くする。点灯装置１００は、第３点灯モードにおいて、光源２１０、２２０を点灯するとともに、光源２１０の輝度および光源２２０の輝度の大小関係を交互に変化させる。
【００２７】
例えば、外部スイッチＳによって電力の供給が一時的に停止された後、再び供給される場合、点灯装置１００は、点灯モードを切り換える。本明細書において、外部スイッチＳがオンからオフに切り換えられ、その後、所定時間範囲内にオフからオンに切り換えられる操作を、プルレス操作と記載することがある。所定時間は、例えば、１．５秒以下である。
【００２８】
一例として、第１点灯モードのときに外部スイッチＳにプルレス操作が行われると、点灯装置１００の点灯モードは第１点灯モードから第２点灯モードに変化する。さらに、第２点灯モードのときに外部スイッチＳにプルレス操作が行われると、点灯装置１００の点灯モードは第２点灯モードから第３点灯モードに変化する。さらに、第３点灯モードのときに外部スイッチＳにプルレス操作が行われると、照明装置２００の点灯モードは第３点灯モードから第１点灯モードに変化する。
【００２９】
以下、図１および図２を参照して、本実施形態の点灯装置１００および照明装置２００の点灯モードを説明する。ここでは、点灯装置１００は、第１点灯モードにおいて、光源２１０を点灯する一方、光源２２０を消灯する。点灯装置１００は、第２点灯モードにおいて、光源２１０を消灯する一方、光源２２０を点灯する。点灯装置１００は、第３点灯モードにおいて、光源２１０および光源２２０を交互に点灯する。
【００３０】
図２（ａ）は、照明装置２００の第１点灯モードにおける光源２１０、２２０の点灯を示すタイムチャートである。図２（ａ）に示すように、第１点灯モードにおいて、光源２１０は点灯する一方、光源２２０は消灯している。この場合、照明装置２００は光源２１０に対応する第１光色の光を発する。第１点灯モードにおいて、点灯装置１００は、光源２１０に電流を供給する一方、光源２２０には電流を供給しない。
【００３１】
図２（ｂ）は、照明装置２００の第２点灯モードにおける光源２１０、２２０の点灯を示すタイムチャートである。図２（ｂ）に示すように、第２点灯モードにおいて、光源２２０は点灯する一方、光源２１０は消灯している。この場合、照明装置２００は光源２２０に対応する第２光色の光を発する。第２点灯モードにおいて、点灯装置１００は、光源２２０に電流を供給する一方、光源２１０には電流を供給しない。
【００３２】
図２（ｃ）は、照明装置２００の第３点灯モードにおける光源２１０、２２０の点灯を示すタイムチャートである。図２（ｃ）に示すように、第３点灯モードにおいて、光源２１０、２２０は交互に点灯する。この場合、人間には、照明装置２００が、光源２１０に対応する第１光色と光源２２０に対応する第２光色との中間色の光を発しているように見える。
【００３３】
第３点灯モードにおいて、点灯装置１００は、光源２１０、２２０に交互に電流を供給する。このように、点灯装置１００は交互に電流を供給するため、第３点灯モードにおいて点灯装置１００から光源２１０、２２０に供給される電流は、第１点灯モードにおいて点灯装置１００から光源２１０に供給される電流、または、第２点灯モードにおいて点灯装置１００から光源２２０に供給される電流と同程度にすることができる。
【００３４】
本実施形態の点灯装置１００では、外部スイッチＳに対するプルレス操作で点灯モードを切り換える。このため、点灯装置１００は、簡易な回路構成で光源２１０、２２０を種々の点灯モードで点灯できる。
【００３５】
また、本実施形態の点灯装置１００は、第３点灯モードにおいて、第１光源２１０が点灯し第２光源２２０が消灯する期間と、第１光源２１０が消灯し第２光源２２０が点灯する期間に加えて、第１光源２１０および第２光源２２０の両方が点灯する期間とが切り換わるように光源２１０、２２０を点灯する。
【００３６】
図２（ｃ）において、第１光源２１０が点灯し第２光源２２０が消灯する期間を期間Ｔ１と示しており、第１光源２１０が消灯し第２光源２２０が点灯する期間を期間Ｔ２と示しており、第１光源２１０および第２光源２２０の両方が点灯する期間を期間Ｔｗと示している。図２（ｃ）に示すように、第３点灯モードにおいて、照明装置２００の期間は、期間Ｔ１、Ｔｗ、Ｔ２、Ｔｗ、Ｔ１、Ｔｗ、Ｔ２、Ｔｗ、Ｔ１．．．の順番に変化する。
【００３７】
複数回繰り返される期間Ｔ１の長さはそれぞれ一定であってもよい。また、複数回繰り返される期間Ｔ２の長さはそれぞれ一定であってもよい。期間Ｔ１、Ｔ２の長さの比は、目標とする中間色に応じて適宜設定される。例えば、中間色が、第２光源２２０に対応する第２光色よりも第１光源２１０に対応する第１光色に近い場合、期間Ｔ１を期間Ｔ２よりも長くする。一方、中間色が、第１光源２１０に対応する第１光色よりも第２光源２２０に対応する第２光色に近い場合、期間Ｔ２を期間Ｔ１よりも長くする。
【００３８】
なお、期間Ｔｗは期間Ｔ１、Ｔ２よりも短い。例えば、期間Ｔｗの長さは期間Ｔ１、Ｔ２の０．００００１倍から０．１倍である。典型的には、期間Ｔ１、Ｔｗ、Ｔ２の和は１５マイクロ秒以下であることが好ましい。例えば、期間Ｔ１、Ｔ２の長さは最大１０ミリ秒であり、１ミリ秒以上１０ミリ秒以下であることが好ましい。また、期間Ｔｗの長さは１０マイクロ秒以上１０００マイクロ秒以下であることが好ましい。
【００３９】
ここで、図１および図２（ｄ）を参照して、第３点灯モードの期間Ｔ１、Ｔｗ、Ｔ２と変化する場合の光源２１０、２２０の点灯を説明する。図２（ｄ）は、図２（ｃ）の一部拡大図である。
【００４０】
期間Ｔ１では、光源２１０が点灯している一方、光源２２０は消灯している。期間Ｔ１において、点灯装置１００は、光源２１０に電流を供給する一方、光源２２０には電流を供給しない。
【００４１】
その後、光源２１０が点灯している状態で光源２２０の点灯が開始し、期間Ｔ１が終了し、期間Ｔｗが開始する。期間Ｔｗにおいて、点灯装置１００は、光源２１０および光源２２０の両方に電流を供給する。
【００４２】
その後、光源２２０が点灯している状態で光源２１０が消灯し、期間Ｔｗが終了し、期間Ｔ２が開始する。期間Ｔ２において、点灯装置１００は、光源２２０に電流を供給する一方、光源２１０には電流を供給しない。
【００４３】
本実施形態の点灯装置１００は、以上のように期間Ｔ１、Ｔｗ、Ｔ２、Ｔｗ、Ｔ１、Ｔｗ、Ｔ２、Ｔｗ、Ｔ１．．．が順番に変化するように光源２１０、２２０を点灯する。
【００４４】
図２（ｄ）に示すように、第３点灯モードにおいて、点灯する光源が光源２１０から光源２２０へと切り換える場合、第１光源２１０は点灯から消灯へと切り換わり、第２光源２２０は消灯から点灯に切り換わる。この場合、点灯状態切換回路１３０は、第１光源２１０の点灯を維持したまま第２光源２２０を消灯から点灯に切り換えて第１光源２１０および第２光源２２０の両方を点灯した後、第１光源２１０を点灯から消灯に切り換える。
【００４５】
同様に、第３点灯モードにおいて、点灯する光源が光源２２０から光源２１０へと切り換える場合、第２光源２２０は点灯から消灯へと切り換わり、第１光源２１０は消灯から点灯に切り換わる。この場合、点灯状態切換回路１３０は、第２光源２２０の点灯を維持したまま第１光源２１０を消灯から点灯に切り換えて第１光源２１０および第２光源２２０の両方を点灯した後、第２光源２２０を点灯から消灯に切り換える。
【００４６】
本実施形態の点灯装置１００によれば、第３点灯モードにおいて光源２１０、２２０には交互に電流が供給されるが、光源２１０、２２０の両方を消灯していない。このため、照明装置２００の照明下において撮像装置で撮像する場合でもフリッカーを抑制できる。
【００４７】
なお、点灯状態切換回路１３０が光源２１０、２２０に供給する電流を切り換える際に、点灯状態切換回路１３０は、スイッチング素子を用いて供給する電流を切り換えてもよい。ただし、点灯状態切換回路１３０が光源２１０、２２０に供給する電流を切り換える場合、スイッチング素子によってはスイッチングの応答が遅れることがある。この場合、点灯状態切換回路１３０は、スイッチング素子の応答速度を考慮して予め点灯状態を切り換えるタイミングを制御することにより、点灯状態切換回路１３０は、光源２１０、２２０の一方を点灯するだけでなく、光源２１０、２２０の両方を点灯することもできる。
【００４８】
ここで、図３を参照して本実施形態の点灯装置１００および照明装置２００の一例を説明する。図３は、点灯装置１００および照明装置２００の模式的な回路図である。照明装置２００は、点灯装置１００と、光源２１０と、光源２２０とを備える。点灯装置１００は、整流平滑回路１１０と、定電流回路１２０と、点灯状態切換回路１３０とを備える。
【００４９】
整流平滑回路１１０は、整流回路１１１と、平滑回路１１２とを有する。整流回路１１１は、交流電源Ａから供給された交流を直流へと変換する。整流回路１１１における直流は、平滑回路１１２に入力される。平滑回路１１２は直流を平滑化する。整流回路１１１および平滑回路１１２により、交流電源Ａから供給された交流は平滑化された直流に変換される。平滑化された直流は定電流回路１２０に入力される。
【００５０】
定電流回路１２０は、入力された直流の位相を調整し、所定の電流を第１光源２１０および第２光源２２０に供給する。例えば、定電流回路１２０は、入力された直流に基づいて定電流を生成し、一定の電流を第１光源２１０および第２光源２２０に供給する。あるいは、定電流回路１２０は、適宜調整可能な可変電流を第１光源２１０および第２光源２２０に供給してもよい。
【００５１】
点灯状態切換回路１３０は、光源２１０および光源２２０に接続する。点灯状態切換回路１３０は、交流電源Ａを検出した検出結果に基づき光源２１０および２２０の点灯状態を切り換える。
【００５２】
点灯状態切換回路１３０は、装填部１３２ａと、装填部１３２ｂと、第１スイッチ１３４ａと、第２スイッチ１３４ｂと、スイッチ切換部１３６とを有する。装填部１３２ａおよび１３２ｂは、例えばＣＯＢソケットである。装填部１３２ａは、端子Ｔａ１、Ｔａ２を有している。装填部１３２ａには光源２１０が装填される。光源２１０が装填部１３２ａに装填されると、装填部１３２ａの端子Ｔａ１、Ｔａ２は光源２１０を介して電気的に導通する。装填部１３２ｂは、端子Ｔｂ１、Ｔｂ２を有している。装填部１３２ｂには光源２２０が装填される。光源２２０が装填部１３２ｂに装填されると、装填部１３２ｂの端子Ｔｂ１、Ｔｂ２は光源２２０を介して電気的に導通する。なお、装填部１３２ａおよび１３２ｂは必須ではなく、光源２１０、２２０に直接配線をコネクタ部品または半田を介して接続する構成であれば装填部１３２ａおよび１３２ｂを省略できる。また、点灯状態切換回路１３０は、装填部１３２ａと装填部１３２ｂとを備えず、第１スイッチ１３４ａと第２スイッチ１３４ｂとスイッチ切換部１３６とを有する構成としてもよい。
【００５３】
第１スイッチ１３４ａは、光源２１０と直列に接続される。第１スイッチ１３４ａは、例えば、ＮｃｈＭＯＳＦＥＴである。第１スイッチ１３４ａのゲートは、配線ｎ３ａを介してスイッチ切換部１３６と電気的に接続している。
【００５４】
同様に、第２スイッチ１３４ｂは、光源２２０と直列に接続される。第２スイッチ１３４ｂは、例えば、ＮｃｈＭＯＳＦＥＴである。第２スイッチ１３４ｂのゲートは、配線ｎ３ｂを介してスイッチ切換部１３６と電気的に接続している。
【００５５】
なお、第１スイッチ１３４ａ、第２スイッチ１３４ｂのいずれも、ＮｃｈＭＯＳＦＥＴに限定されず、ＰｃｈＭＯＳＦＥＴであってもよい。第１スイッチ１３４ａおよび第２スイッチ１３４ｂの順電圧はほぼ等しいことが好ましい。
【００５６】
また、照明装置２００は、配線ｎ１、配線ｎ１ａ、配線ｎ１ｂ、配線ｎ２、配線ｎ２ａ、配線ｎ２ｂ、配線ｎｓａ、配線ｎｓｂをさらに有する。配線ｎ１〜ｎｓｂのいずれかは点灯装置１００に含まれてもよく、光源２１０、２２０を含む光源部に含まれてもよい。
【００５７】
配線ｎ１の一端は定電流回路１２０に接続されており、配線ｎ１の他端は配線ｎ１ａ、配線ｎ１ｂのそれぞれの一端と接続されている。配線ｎ１ａの他端は装填部１３２ａの端子Ｔａ１と接続されており、配線ｎ１ｂの他端は装填部１３２ｂの端子Ｔｂ１と接続されている。このため、定電流回路１２０は、配線ｎ１および配線ｎ１ａを介して装填部１３２ａの端子Ｔａ１と接続されている。同様に、定電流回路１２０は、配線ｎ１および配線ｎ１ｂを介して装填部１３２ｂの端子Ｔｂ１と接続されている。
【００５８】
第１スイッチ１３４ａの一端は配線ｎｓａを介して装填部１３２ａの端子Ｔａ２と接続されており、第１スイッチ１３４ａの他端は配線ｎ２ａ、ｎ２を介して定電流回路１２０に接続されている。このため、第１スイッチ１３４ａがオンの場合、装填部１３２ａの端子Ｔａ２は、配線ｎｓａ、第１スイッチ１３４ａ、配線ｎ２ａ、ｎ２を介して定電流回路１２０に接続されている。
【００５９】
同様に、第２スイッチ１３４ｂの一端は配線ｎｓｂを介して装填部１３２ｂの端子Ｔｂ２と接続されており、第２スイッチ１３４ｂの他端は配線ｎ２ｂ、ｎ２を介して定電流回路１２０に接続されている。このため、第２スイッチ１３４ｂがオンの場合、装填部１３２ｂの端子Ｔｂ２は、配線ｎｓｂ、第２スイッチ１３４ｂ、配線ｎ２ｂ、ｎ２を介して定電流回路１２０に接続されている。
【００６０】
点灯状態切換回路１３０において、第１スイッチ１３４ａおよび第２スイッチ１３４ｂのオンオフを切り換えることにより、光源２１０、２２０の点灯・消灯を切り換える。例えば、第１スイッチ１３４ａがオンの場合、定電流回路１２０から供給される電流は、配線ｎ１、ｎ１ａ、光源２１０、配線ｎｓａ、第１スイッチ１３４ａ、配線ｎ２ａ、ｎ２と流れ、光源２１０が点灯する。また、第２スイッチ１３４ｂがオンの場合、定電流回路１２０から供給される電流は、配線ｎ１、ｎ１ｂ、光源２２０、配線ｎｓｂ、第２スイッチ１３４ｂ、配線ｎ２ｂ、ｎ２と流れ、光源２２０が点灯する。
【００６１】
スイッチ切換部１３６は入力端子を有している。スイッチ切換部１３６の入力端子は交流電源Ａと電気的に接続されている。外部スイッチＳが操作されると、スイッチ切換部１３６は外部スイッチＳの操作を検出できる。
【００６２】
また、スイッチ切換部１３６は２つの出力端子を有している。スイッチ切換部１３６の一方の出力端子は第１スイッチ１３４ａのゲートに配線ｎ３ａを介して接続されている。一方、スイッチ切換部１３６の他方の出力端子は第２スイッチ１３４ｂのゲートに配線ｎ３ｂを介して接続されている。スイッチ切換部１３６は、例えば、マイクロコンピュータを含む。
【００６３】
スイッチ切換部１３６が、外部スイッチＳによって電力の供給が一時的に停止された時間が所定時間範囲内であることを検知すると、スイッチ切換部１３６は、第１スイッチ１３４ａおよび第２スイッチ１３４ｂのオンオフを切り換える。例えば、外部スイッチＳがオンからオフに切り換えられ、その後、所定時間範囲内にオフからオンに切り換えられた場合、スイッチ切換部１３６は、点灯モードに応じて、第１スイッチ１３４ａのオンオフ、および、第２スイッチ１３４ｂのオンオフを順次切り換える。
【００６４】
具体的には、外部スイッチＳによって第１点灯モードに操作された場合、スイッチ切換部１３６は、第１スイッチ１３４ａのゲートをハイレベルにして第１スイッチ１３４ａをオンにする一方、第２スイッチ１３４ｂのゲートをローレベルにして第２スイッチ１３４ｂをオフにする。この場合、点灯装置１００は、光源２１０を点灯し光源２２０を消灯する。
【００６５】
また、外部スイッチＳによって第２点灯モードに操作された場合、スイッチ切換部１３６は、第１スイッチ１３４ａのゲートをローレベルにして第１スイッチ１３４ａをオフにする一方、第２スイッチ１３４ｂのゲートをハイレベルにして第２スイッチ１３４ｂをオンにする。この場合、点灯装置１００は、光源２１０を消灯し光源２２０を点灯する。
【００６６】
また、外部スイッチＳによって第３点灯モードに操作された場合、期間Ｔ１において、スイッチ切換部１３６は、第１スイッチ１３４ａのゲートをハイレベルにして第１スイッチ１３４ａをオンにする一方、第２スイッチ１３４ｂのゲートをローレベルにして第２スイッチ１３４ｂをオフにする。この場合、点灯装置１００は、光源２１０を点灯し光源２２０を消灯する。
【００６７】
その後、期間Ｔｗにおいて、スイッチ切換部１３６は、第１スイッチ１３４ａのゲートをハイレベルに維持して第１スイッチ１３４ａをオンにしたままに、第２スイッチ１３４ｂのゲートをハイレベルにして第２スイッチ１３４ｂをオンにする。この場合、点灯装置１００は、光源２１０、２２０の両方を点灯する。
【００６８】
その後、期間Ｔ２において、スイッチ切換部１３６は、第１スイッチ１３４ａのゲートをローレベルにして第１スイッチ１３４ａをオフにする一方、第２スイッチ１３４ｂのゲートをハイレベルに維持して第２スイッチ１３４ｂをオンのままにする。この場合、点灯装置１００は、光源２１０を消灯し光源２２０を点灯する。
【００６９】
その後、期間Ｔｗにおいて、スイッチ切換部１３６は、第１スイッチ１３４ａのゲートをハイレベルにして第１スイッチ１３４ａをオンにする一方、第２スイッチ１３４ｂのゲートをハイレベルに維持して第２スイッチ１３４ｂをオンのままにする。この場合、点灯装置１００は光源２１０、２２０の両方を点灯する。
【００７０】
本実施形態の点灯装置１００では、スイッチ切換部１３６は、スイッチ１３４ｂのゲートをハイレベルからローレベルに変化する直前に、スイッチ１３４ａのゲートをローレベルからハイレベルに変化する。また、スイッチ切換部１３６は、スイッチ１３４ａのゲートをハイレベルからローレベルに変化する直前に、スイッチ１３４ｂのゲートをローレベルからハイレベルに変化する。点灯装置１００では、第３点灯モードにおいて、光源２１０、２２０の両方を消灯しないため、照明装置２００の照明下において撮像装置で撮像する場合でもフリッカーを抑制できる。また、本実施形態の点灯装置１００では、光源２１０、２２０の両方が同時に消灯する期間がないため、１つの定電流回路１２０で光源２１０、２２０を並列点灯させることができ、巻線部品からの騒音の発生を抑制することができる。
【００７１】
なお、スイッチ切換部１３６は、第３点灯モードにおいてスイッチ１３４ａ、１３４ｂのオン期間を概ね一定の割合で切り換えてもよい。例えば、スイッチ切換部１３６は、第３点灯モードにおいてスイッチ１３４ａ、１３４ｂのオン期間を約３：１の割合で切り換える。
【００７２】
ここで、図３および図４を参照して、照明装置２００の第３点灯モードにおけるスイッチ切換部１３６の動作を説明する。図４（ａ）は、スイッチ１３４ａ、１３４ｂのゲートに印加される電圧を示すタイムチャートである。図４（ａ）においてＶａはスイッチ１３４ａのゲートに印加される電圧を示しており、Ｖｂはスイッチ１３４ｂのゲートに印加される電圧を示している。
【００７３】
図４（ａ）に示すように、スイッチ１３４ａ、１３４ｂのゲートを交互にハイレベルにする。この場合、人間には、照明装置２００が、光源２１０に対応する第１光色と光源２２０に対応する第２光色との中間色の光を発しているように見える。点灯装置１００は、期間Ｔ１、Ｔｗ、Ｔ２、Ｔｗ、Ｔ１、Ｔｗ、Ｔ２、Ｔｗ、Ｔ１．．．が順番に変化するように光源２１０、２２０を点灯する。
【００７４】
期間Ｔ１において、スイッチ１３４ａのゲートはハイレベルにされる一方、スイッチ１３４ｂのゲートはローレベルである。このため、期間Ｔ１では、光源２１０が点灯している一方、光源２２０は消灯している。
【００７５】
その後、スイッチ１３４ａのゲートはハイレベルに維持される一方、スイッチ１３４ｂのゲートはハイレベルにされる。このため、光源２１０が点灯している状態で光源２２０の点灯が開始し、期間Ｔ１が終了し、期間Ｔｗが開始する。
【００７６】
その後、スイッチ１３４ａのゲートはローレベルにされる一方、スイッチ１３４ｂのゲートはハイレベルのまま維持される。このため、光源２２０が点灯している状態で光源２１０が消灯し、期間Ｔｗが終了し、期間Ｔ２が開始する。その後、期間Ｔｗ、Ｔ１、Ｔｗ、Ｔ２、Ｔｗ、Ｔ１．．．と順番に変化する。
【００７７】
ここで、図３および図４（ｂ）を参照して、第３点灯モードの期間Ｔ１、Ｔｗ、Ｔ２と変化する場合に光源２１０、２２０を流れる電流の変化を説明する。図４（ｂ）は、本実施形態の照明装置２００において第３点灯モードで光源２１０、２２０を流れる電流を示すタイムチャートである。図４（ｂ）においてＩａは光源２１０を流れる電流を示しており、Ｉｂは光源２２０を流れる電流を示している。また、図４（ｂ）において、Ｉａ＋Ｉｂは光源２１０を流れる電流と光源２２０を流れる電流との和を示している。
【００７８】
期間Ｔ１では、光源２１０に電流が流れる一方、光源２２０には電流は流れない。このため、光源２１０が点灯している一方、光源２２０は消灯している。
【００７９】
その後、光源２２０に電流が流れ始めると、光源２１０を流れる電流が減少する。このため、光源２１０が点灯している状態で光源２２０の点灯が開始し、期間Ｔ１が終了し、期間Ｔｗが開始する。期間Ｔｗにおいて、光源２１０および光源２２０の両方が点灯する。ここでは、光源２１０を流れる電流が減少するタイミングは光源２２０を流れる電流が増加するタイミングと同じである。また、期間Ｔｗにおいて光源２１０を流れる電流と光源２２０を流れる電流との和は、期間Ｔ１における光源２１０を流れる電流とほぼ等しい。
【００８０】
その後、光源２１０を流れる電流がゼロになる。このため、光源２２０が点灯している状態で光源２１０が消灯し、期間Ｔｗが終了し、期間Ｔ２が開始する。期間Ｔ２において、光源２２０が点灯する一方、光源２１０は消灯する。ここでは、光源２１０に電流が流れなくなるタイミングは光源２２０を流れる電流が一定になるタイミングと同じである。また、期間Ｔ２において光源２２０を流れる電流は、期間Ｔｗにおいて光源２１０を流れる電流と光源２２０を流れる電流との和とほぼ等しい。
【００８１】
本実施形態の点灯装置１００は、以上のように期間Ｔ１、Ｔｗ、Ｔ２、Ｔｗ、Ｔ１、Ｔｗ、Ｔ２、Ｔｗ、Ｔ１．．．が順番に変化するように光源２１０、２２０を点灯する。
【００８２】
なお、本実施形態の点灯装置１００では、第３点灯モードの期間Ｔｗにおいて、スイッチ１３４ａ、１３４ｂのゲートの両方をハイレベルにすると、光源２１０を流れる電流は徐々に減少し、光源２２０を流れる電流は徐々に増加する。この場合、光源２１０、２２０は両方点灯する。このため、本実施形態の点灯装置１００によれば、第３点灯モードにおいて、光源２１０、２２０には交互に電流が流れるが、光源２１０、２２０は瞬間的に消灯せず、フリッカーは発生しない。
【００８３】
なお、図４（ｂ）に示したタイムチャートでは、光源２１０、２２０を流れる電流Ｉａ、Ｉｂは期間Ｔｗにわたって直線的に変化したが、本実施形態はこれに限定されない。電流Ｉａ、Ｉｂは段階的に変化してもよい。
【００８４】
以下、図３および図４（ｃ）を参照して、第３点灯モードの期間Ｔ１、Ｔｗ、Ｔ２と変化する場合に光源２１０、２２０を流れる電流の変化を説明する。図４（ｃ）は、本実施形態の照明装置２００において光源２１０、２２０を流れる電流を示すタイムチャートである。図４（ｃ）は、電流Ｉａ、Ｉｂが段階的に変化する点を除いて、図４（ｂ）を参照して上述した説明と同様であり、冗長を避ける目的で、重複する記載を省略する。
【００８５】
図４（ｃ）においてもＩａは光源２１０を流れる電流を示しており、Ｉｂは光源２２０を流れる電流を示している。また、図４（ｃ）において、Ｉａ＋Ｉｂは光源２１０を流れる電流と光源２２０を流れる電流との和を示している。
【００８６】
期間Ｔ１では、光源２１０に電流が流れる一方、光源２２０には電流は流れない。このため、光源２１０が点灯している一方、光源２２０は消灯している。
【００８７】
その後、光源２２０に電流が流れ始めると、光源２１０を流れる電流が減少する。このため、光源２１０が点灯している状態で光源２２０の点灯が開始し、期間Ｔ１が終了し、期間Ｔｗが開始する。期間Ｔｗにおいて、光源２１０および光源２２０の両方が点灯する。ここでは、光源２１０を流れる電流が減少するタイミングは光源２２０を流れる電流が増加するタイミングと同じである。
【００８８】
期間Ｔｗは、期間Ｔｗ１と、期間Ｔｗ２と、期間Ｔｗ３とを有する。期間Ｔｗ１において、電流Ｉａはハイレベルからミドルレベルに変化し、電流Ｉｂはローレベルからミドルレベルに変化する。期間Ｔｗ２において、電流Ｉａ、Ｉｂはともにミドルレベルのまま維持される。期間Ｔｗ３において、電流Ｉａはミドルレベルからローレベルに変化し、電流Ｉｂはミドルレベルからハイレベルに変化する。
【００８９】
図４（ｃ）に示すように、電流Ｉａがハイレベルからミドルレベルに変化する期間の開始および終了時間は、電流Ｉｂがローレベルからミドルレベルに変化する期間の開始および終了時間と同じであることが好ましい。また、電流Ｉａがミドルレベルからローレベルに変化する期間の開始および終了時間は、電流Ｉｂがミドルレベルからハイレベルに変化する期間の開始および終了時間と同じであることが好ましい。
【００９０】
電流Ｉａのハイレベルの大きさは電流Ｉｂのハイレベルの大きさと等しいことが好ましく、電流Ｉａのミドルレベルの大きさは電流Ｉｂのミドルレベルの大きさと等しいことが好ましい。さらに、電流Ｉａ、Ｉｂのミドルレベルの大きさは、電流Ｉａ、Ｉｂのハイレベルの大きさのほぼ半分であることが好ましい。
【００９１】
その後、光源２１０を流れる電流はゼロになる。このため、光源２２０が点灯している状態で光源２１０が消灯し、期間Ｔｗが終了し、期間Ｔ２が開始する。期間Ｔ２において、光源２２０が点灯する一方、光源２１０は消灯する。ここでは、光源２１０に電流が流れなくなるタイミングは光源２２０を流れる電流が一定になるタイミングと同じである。
【００９２】
本実施形態の点灯装置１００は、以上のように期間Ｔ１、Ｔｗ、Ｔ２、Ｔｗ、Ｔ１、Ｔｗ、Ｔ２、Ｔｗ、Ｔ１．．．が順番に変化するように光源２１０、２２０を点灯する。
【００９３】
本実施形態の点灯装置１００では、第３点灯モードの期間Ｔｗにおいて、本実施形態の点灯装置１００では、スイッチ１３４ａ、１３４ｂのゲートの両方をハイレベルにすると、光源２１０を流れる電流は徐々に減少し、光源２２０を流れる電流は徐々に増加して、それぞれの電流はミドルレベルになる。その後、スイッチ１３４ａ、１３４ｂの一方のゲートをローレベルにすると、光源２１０、２２０のうちの一方の光源を流れる電流が減少し、他方の光源を流れる電流が増加する。このため、本実施形態の点灯装置１００によれば、第３点灯モードにおいて、光源２１０、２２０には交互に電流が流れるが、光源２１０、２２０は瞬間的に消灯せず、フリッカーは発生しない。
【００９４】
なお、図１〜図４を参照して上述した説明では、点灯装置１００では、外部スイッチＳの操作に応じて３つの点灯モードで点灯するように切り換わったが、本実施形態はこれに限定されない。本実施形態の点灯装置１００では、点灯状態切換回路１３０による電流供給の切換動作を制限すれば、光色または輝度切換機能を有さない照明装置（例えば、点灯／消灯のみに切換可能な照明装置）として照明装置２００を使用することができる。
【００９５】
以下、図５を参照して、本実施形態の点灯装置１００および照明装置２００を説明する。図５は、点灯装置１００および照明装置２００の模式的な回路図である。図５に示した点灯装置１００および照明装置２００は、照明装置２００が光源２２０を備えておらず、スイッチ切換部１３６が第２スイッチ１３４ｂのオンオフを切り換えない点を除いて、図３を参照して上述した点灯装置１００および照明装置２００と同様の構成を有しており、冗長を避ける目的で、重複する記載を省略する。
【００９６】
照明装置２００は、点灯装置１００と、光源２１０とを備える。点灯装置１００は、整流平滑回路１１０と、定電流回路１２０と、点灯状態切換回路１３０とを備える。整流平滑回路１１０は、整流回路１１１と、平滑回路１１２とを有する。
【００９７】
点灯状態切換回路１３０は、装填部１３２ａと、装填部１３２ｂと、第１スイッチ１３４ａと、第２スイッチ１３４ｂと、スイッチ切換部１３６とを有する。スイッチ切換部１３６は、操作検出部１３６ａと、ゲート信号生成部１３６ｂと、スイッチ１３６ｃとを有する。
【００９８】
操作検出部１３６ａは、外部スイッチＳに対して操作が行われたか否かを検出する。外部スイッチＳによって電力の供給が一時的に停止された後、再び供給される場合、操作検出部１３６ａは、外部スイッチＳに対して操作が行われたことを検出する。ゲート信号生成部１３６ｂは、操作検出部１３６ａの検出結果に応じて、第１スイッチ１３４ａおよび第２スイッチ１３４ｂのゲートに出力するためのゲート信号を生成する。
【００９９】
スイッチ１３６ｃは、交流電源Ａと操作検出部１３６ａとの接続を切り換える。スイッチ１３６ｃがオンの場合、操作検出部１３６ａは交流電源Ａと接続しており、操作検出部１３６ａは、外部スイッチＳに対して操作が行われたか否かを検出できる。一方、スイッチ１３６ｃがオフの場合、操作検出部１３６ａは交流電源Ａと接続できず、操作検出部１３６ａは、所定の結果をゲート信号生成部１３６ｂに出力する。この場合、ゲート信号生成部１３６ｂは、外部スイッチＳの操作に関わらず所定のゲート信号を生成する。
【０１００】
スイッチ１３６ｃがオフの場合に先立ち、スイッチ１３６ｃがオンの場合の操作検出部１３６ａおよびゲート信号生成部１３６ｂの動作を説明する。
【０１０１】
外部スイッチＳによって第１点灯モードに操作された場合、ゲート信号生成部１３６ｂは、第１スイッチ１３４ａのゲートをハイレベルにして第１スイッチ１３４ａをオンにする一方、第２スイッチ１３４ｂのゲートをローレベルにして第２スイッチ１３４ｂをオフにする。この場合、光源２１０が点灯し光源２２０が消灯する。
【０１０２】
外部スイッチＳによって第２点灯モードに操作された場合、ゲート信号生成部１３６ｂは、第１スイッチ１３４ａのゲートをローレベルにして第１スイッチ１３４ａをオフにする一方、第２スイッチ１３４ｂのゲートをハイレベルにして第２スイッチ１３４ｂをオンにする。この場合、光源２１０が消灯し光源２２０が点灯する。
【０１０３】
外部スイッチＳによって第３点灯モードに操作された場合、期間Ｔ１において、ゲート信号生成部１３６ｂは、第１スイッチ１３４ａのゲートをハイレベルにして第１スイッチ１３４ａをオンにする一方、第２スイッチ１３４ｂのゲートをローレベルにして第２スイッチ１３４ｂをオフにする。この場合、光源２１０が点灯し、光源２２０が消灯する。
【０１０４】
その後、期間Ｔｗにおいて、ゲート信号生成部１３６ｂは、第１スイッチ１３４ａのゲートをハイレベルに維持して第１スイッチ１３４ａをオンにしたままにする一方、第２スイッチ１３４ｂのゲートをハイレベルにして第２スイッチ１３４ｂをオンにする。この場合、光源２１０、２２０が点灯する。
【０１０５】
その後、期間Ｔ２において、ゲート信号生成部１３６ｂは、第１スイッチ１３４ａのゲートをローレベルにして第１スイッチ１３４ａをオフにする一方、第２スイッチ１３４ｂのゲートをハイレベルに維持して第２スイッチ１３４ｂをオンのままにする。この場合、光源２１０が消灯し、光源２２０を点灯する。
【０１０６】
その後、期間Ｔｗにおいて、ゲート信号生成部１３６ｂは、第１スイッチ１３４ａのゲートをハイレベルにして第１スイッチ１３４ａをオンにする一方、第２スイッチ１３４ｂのゲートをハイレベルに維持して第２スイッチ１３４ｂをオンのままにする。この場合、光源２１０、２２０が点灯する。その後、同様に、期間Ｔ２、Ｔｗ、Ｔ１、Ｔｗ、Ｔ２、Ｔｗ、Ｔ１．．．は順番に変化する。
【０１０７】
上述した説明から明らかであるように、スイッチ１３６ｃがオンの場合、操作検出部１３６ａおよびゲート信号生成部１３６ｂは、外部スイッチＳに対して行われた操作に基づき、点灯モードに従って光源２１０、２２０を点灯させることができる。
【０１０８】
一方、スイッチ１３６ｃがオフの場合、操作検出部１３６ａは、外部スイッチＳに対する操作を検出できない。この場合、ゲート信号生成部１３６ｂは、外部スイッチＳの操作に関わらず所定のゲート信号を生成する。例えば、操作検出部１３６ａは所定の結果を出力し、ゲート信号生成部１３６ｂは、操作検出部１３６ａの出力に基づいてスイッチ１３４ａのゲートをハイレベルにし、スイッチ１３４ｂのゲートをローレベルにする。この場合、光源２２０が装填部１３２ｂに装填されているか否かに関わらず光源２２０には電流は供給されず、光源２２０は点灯しない。一方、光源２１０が装填部１３２ａに装填されていると光源２１０には電流は供給され、光源２１０は点灯する。
【０１０９】
以上のように、本実施形態の点灯装置１００によれば、スイッチ切換部１３６のスイッチ１３６ｃを切り換えることにより、複数の点灯モードを切り換え可能な点灯装置としても、単一点灯モードの点灯装置としても使用することもでき、同一の点灯装置１００を異なる用途に利用できる。なお、スイッチ１３６ｃを常時オフにすることは、工場出荷時に設定されてもよく、あるいは、ユーザーまたは点灯装置１００の設置者が適宜設定してもよい。
【０１１０】
なお、図５を参照して上述した説明では、スイッチ１３６ｃがオフの場合、装填部１３２ａに装填される光源２１０は点灯可能であるのに対して、装填部１３２ｂに装填される光源２２０は点灯不可であったが、本実施形態はこれに限定されない。スイッチ１３６ｃがオフの場合、装填部１３２ａに装填される光源２１０は点灯不可であるのに対して、装填部１３２ｂに装填される光源２２０は点灯可能であってもよい。また、スイッチ１３６ｃがオフの場合、光源２１０と光源２２０の両方を点灯可能であってもよい。
【０１１１】
また、図５を参照して上述した説明では、スイッチ切換部１３６は、操作検出部１３６ａと、ゲート信号生成部１３６ｂに加えて、スイッチ１３６ｃを有していたが、本実施形態はこれに限定されない。スイッチ切換部１３６は、スイッチ１３６ｃを有さなくてもよい。この場合、点灯装置１００は、図１〜図４を参照した上述の点灯装置１００と同様に、３つの点灯モードを切り換えて光源２１０、２２０を点灯させることができる。
【０１１２】
以上、図面（図１〜図５）を参照しながら本発明の実施形態を説明した。但し、本実施形態は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の個数等は、図面作成の都合上から実際とは異なってもよい。また、上記実施形態で示す各構成要素の構成等は一例であって、特に限定されるものではない。
【０１１３】
例えば、図１〜図５を参照して上述した実施形態では、照明装置２００は、２つの光源（光源２１０および光源２２０）を備えていたが、本実施形態はこれに限定されない。例えば、照明装置２００は、３つ以上の光源を備えてもよい。また、図３〜図５を参照して上述した実施形態では、照明装置２００は、２つのスイッチ（第１スイッチ１３４ａおよび第２スイッチ１３４ｂ）を備えていたが、本実施形態はこれに限定されない。例えば、照明装置２００は、３つ以上のスイッチを備えてもよい。
【０１１４】
また、光源２１０および光源２２０は、実施形態では光色が異なるものとしたが、同一光色であってもよい。光源２１０および光源２２０の光色が同一である場合は、光源２１０および光源２２０のそれぞれの輝度（光量）、配光、光源の位置などが異ならせることができる。例えば、輝度（光量）を異ならせる場合は、光源２１０の高輝度とし、光源２２０を低輝度とすることができる。例えば、配光を異ならせる場合は、光源２１０にレンズなどを備えてスポット光を照射する構成とし、光源２２０に拡散部材などを備えて拡散光を照射する構成とすることができる。なお、配光を異ならせる場合、光源２１０および２２０の光色は同一であっても異なってもよく、また、光源２１０および２２０の輝度は同一であっても異なってもよい。
【０１１５】
また、上記の記載において主に説明した実施形態では、第１点灯モードのとき、第１光源２１０を点灯させ、第２光源２２０を消灯する構成としたが、第１光源２１０および第２光源２２０の両方を点灯し、第１光源２１０の輝度を第２光源２２０の輝度よりも高くなるように点灯させてもよい。また、上記の記載において主に説明した実施形態では、第２点灯モードのとき、第１光源２１０を消灯し、第２光源２２０を点灯する構成としたが、第１光源２１０および第２光源２２０の両方を点灯させ、第２光源２２０の輝度を第１光源２１０の輝度よりも高くなるように点灯させてもよい。また、上記の記載において主に説明した実施形態では、第３点灯モードのとき、光源２１０、２２０を交互に点灯させる構成としたが、第１光源２１０および第２光源２２０の両方を点灯させ、第１光源２１０の輝度および第２光源２２０の輝度の大小関係を交互に変更させてもよい。
【０１１６】
また、図１〜図５を参照して上述した実施形態では、発光素子は白色ＬＥＤあったがこれに限定されない。赤色ＬＥＤ、青色ＬＥＤまたは緑色ＬＥＤであってもよい。あるいは、発光素子は有機ＥＬであってもよい。
【０１１７】
また、図１〜図５を参照して上述した実施形態では、定電流回路１２０と点灯状態切換回路１３０とは異なる構成要素であったが、本実施形態はこれに限定されない。定電流回路１２０および点灯状態切換回路１３０は１つの構成要素として一体化されていてもよい。例えば、１つのマイクロコンピュータが定電流回路１２０と点灯状態切換回路１３０の両方の動作を行い、光源２１０および／または光源２２０を点灯させてもよい。
【０１１８】
また、図１〜図５を参照して上述した実施形態では、第３点灯モードの期間Ｔｗを除いて光源２１０、２２０は同時に点灯しなかったが、本実施形態はこれに限定されない。光源２１０、２２０は別のモードにおいて同時に点灯してもよい。
【０１１９】
本願は、さらに以下の付記を開示する。なお、以下の付記は、本発明を限定するものではない。
【０１２０】
（付記１）
第１光源および第２光源の点灯および消灯を、交流電源をオンオフする外部スイッチの操作によって切り換え可能な点灯装置であって、
前記交流電源から供給された交流電圧を直流電圧へと変換する整流平滑回路と、
前記整流平滑回路に接続されるとともに、前記第１光源および前記第２光源が並列関係に接続される１つの定電流回路と、
を備え、
前記外部スイッチに対する操作に基づいて
前記第１光源を点灯する第１点灯モードと、
前記第２光源を点灯する第２点灯モードと、
前記第１光源および前記第２光源を交互に点灯する第３点灯モードと
のいずれかに切り換え、
前記第３点灯モードにおいて、前記第１光源および前記第２光源のうちの一方の光源が点灯から消灯へと切り換わり、前記第１光源および前記第２光源のうちの他方の光源が消灯から点灯に切り換わる場合、前記一方の光源の点灯を維持したまま前記他方の光源を消灯から点灯に切り換えて前記第１光源および前記第２光源の両方を点灯した後、前記一方の光源を点灯から消灯に切り換える、点灯装置。
【０１２１】
（付記２）
第１光源および第２光源の点灯状態を、交流電源をオンオフする外部スイッチの操作によって切り換え可能な点灯装置であって、
前記交流電源から供給された交流電圧を直流電圧へと変換する整流平滑回路と、
前記整流平滑回路に接続されるとともに、前記第１光源および前記第２光源が並列関係に接続される１つの定電流回路と、
を備え、
前記外部スイッチに対する操作に基づいて
前記第１点灯モードは、前記第１光源および前記第２光源の両方を点灯し、前記第１光源を前記第２光源よりも高い輝度で点灯し、
前記第２点灯モードは、前記第１光源および前記第２光源の両方を点灯し、前記第２光源を前記第１光源よりも高い輝度で点灯し、
前記第１光源および前記第２光源を交互に点灯する第３点灯モードと
のいずれかに切り換え、
前記第３点灯モードにおいて、前記第１光源および前記第２光源のうちの一方の光源の輝度を低下させ、前記第１光源および前記第２光源のうちの他方の光源の輝度を上昇させる場合、前記一方の光源の輝度を維持したまま前記他方の光源の輝度を上昇させて、前記一方の光源の輝度を低下させる、点灯装置。
【０１２２】
（付記３）
第１光源と、
第２光源と、
点灯状態切換回路と、
を備える照明装置であって、
前記点灯状態切換回路は、
前記第１光源に直列接続され、前記第１光源の点灯状態を切り換える第１スイッチと、
前記第２光源に直列接続され、前記第２光源の点灯状態を切り換える第２スイッチと、
前記第１スイッチおよび前記第２スイッチの切り換えを制御するスイッチ切換部と
を有し、
前記スイッチ切換部は、前記第３点灯モードにおいて、前記一方の光源が点灯を維持したまま前記他方の光源を消灯から点灯に切り換えて前記第１光源および前記第２光源の両方が点灯した後、前記一方の光源を点灯から消灯に切り換えるように、前記第１スイッチおよび前記第２スイッチを切り換える、照明装置。
【０１２３】
（付記４）
前記点灯状態切換回路は、
前記外部スイッチに対して点灯モードを切り換えるための操作が行われたか否かを検出する操作検出部と、
前記操作検出部の検出結果に基づいて前記第１スイッチおよび前記第２スイッチの切り換えを制御するためのゲート信号を生成するゲート信号生成部と
を有する、付記３に記載の照明装置。
【０１２４】
（付記５）
前記第１光源は、第１光色を有し、
前記第２光源は、前記第１光色とは異なる第２光色を有する、
付記３または４に記載の照明装置。
【符号の説明】
【０１２５】
１００    点灯装置
１１０    整流回路
１２０    定電流回路
１３０    点灯状態切換回路
１３４ａ  第１スイッチ
１３４ｂ  第２スイッチ
２００    照明装置
２１０    第１光源
２２０    第２光源
【図１】
0006677525.tif 000002
【図２】
0006677525.tif 000003
【図３】
0006677525.tif 000004
【図４】
0006677525.tif 000005
【図５】
0006677525.tif 000006